(57)【特許請求の範囲】
【請求項１】
光透過性を有し、中央部に前後方向に貫通する貫通孔を有する遊技板と、
前記遊技板に搭載されて前記貫通孔を介して図柄遊技を表示する表示画面と、
前記遊技板に搭載されて前記図柄遊技を演出する演出装置と、
前記遊技板に搭載される遊技部品とを備えた遊技機において、
前記演出装置は、
チューブ状の発光部の両端にそれぞれ発光源を備えてなる発光体を複数備え、
一の発光体は前記遊技板の裏側に配設されて当該遊技板を介して発光演出を遊技者に提供し、
他の発光体は前記遊技板の前記貫通孔と前後方向において重複する位置に配設されて当該遊技板を介することなく発光演出を遊技者に提供し、
前記一の発光体の一端と前記他の発光体の一端は１つの前記遊技部品の背後に配置されることを特徴とする遊技機。
【発明の詳細な説明】
【技術分野】
【０００１】
本発明は、演出装置により発光演出を行う遊技機の技術に関する。
【背景技術】
【０００２】
従来、演出装置により発光演出を行う遊技機の技術は、公知となっている。かかる演出装置には、チューブ状の発光部と、前記発光部の端部に配設された発光源と、によって発光可能に構成された発光体を有するものがある。例えば、特許文献１から３に記載の如くである。
【０００３】
特許文献１に記載の技術では、演出装置（照明装置）の発光体は、複数設けられて遊技板（盤本体）及び遊技機の前枠の表側にそれぞれ配置されている。このような構成によって、それぞれの発光体を適宜に発光させる演出装置の発光演出が行われる。
【０００４】
特許文献２に記載の技術では、演出装置の発光体（可動体）は、図柄遊技を表示する表示画面（液晶表示装置の表示面）の前方で往復移動可能に構成される。このような構成によって、発光体を発光させながら表示画面の前方へ移動させ、前記図柄遊技に関連させる演出装置の発光演出が行われる。
【０００５】
特許文献３に記載の技術では、演出装置（電飾装置）の発光体は、複数のチューブ状の発光部が連設されて全体として環状に構成される。発光体は、遊技領域を囲繞するように配置される。このような構成によって、例えば環状に構成された発光体のうち一区画だけの発光部を発光させる演出装置の発光演出が行われる。
【先行技術文献】
【特許文献】
【０００６】
【特許文献１】特開２００１−２５６８１３号公報
【特許文献２】特開２００４−４９６０４号公報
【特許文献３】特開２００７−５４８号公報
【発明の概要】
【発明が解決しようとする課題】
【０００７】
本発明が解決しようとする課題は、従来の演出装置では実現し得なかった発光演出を行うことによって、遊技者に新鮮な印象を与えることができる遊技機を提供することである。
【課題を解決するための手段】
【０００８】
本発明の解決しようとする課題は以上の如くであり、次にこの課題を解決するための手段を説明する。
【０００９】
即ち、請求項１においては、光透過性を有し、中央部に前後方向に貫通する貫通孔を有する遊技板と、前記遊技板に搭載されて前記貫通孔を介して図柄遊技を表示する表示画面と、前記遊技板に搭載されて前記図柄遊技を演出する演出装置と、前記遊技板に搭載される遊技部品とを備えた遊技機において、前記演出装置は、チューブ状の発光部の両端にそれぞれ発光源を備えてなる発光体を複数備え、一の発光体は前記遊技板の裏側に配設されて当該遊技板を介して発光演出を遊技者に提供し、他の発光体は前記遊技板の前記貫通孔と前後方向において重複する位置に配設されて当該遊技板を介することなく発光演出を遊技者に提供し、前記一の発光体の一端と前記他の発光体の一端は１つの前記遊技部品の背後に配置されるものである。
【発明の効果】
【００１０】
本発明の効果として、以下に示すような効果を奏する。
【００１１】
請求項１においては、従来の演出装置では実現し得なかった発光演出を行うことによって、遊技者に新鮮な印象を与えることができる。
【図面の簡単な説明】
【００１２】
【図１】本発明の一実施形態に係る遊技機の全体的な構成を示した正面図。
【図２】同じく、遊技機の窓枠が開放された状態を示した前方斜視図。
【図３】同じく、遊技盤を示した正面図。
【図４】同じく、遊技板を示した正面図。
【図５】演出装置と遊技板との位置関係を示した正面図。
【図６】演出装置の位置関係を示した正面図。
【図７】第一発光体の構成を示した正面一部断面図。
【図８】演出装置による発光演出の様子を示した正面図。
【図９】演出装置による発光演出の様子を示した正面図。
【図１０】演出装置による発光演出の様子を示した正面図。
【図１１】演出装置による発光演出の様子を示した正面図。
【図１２】演出装置による発光演出の様子を示した正面図。
【図１３】演出装置による発光演出の様子を示した正面図。
【図１４】演出装置による発光演出の様子を示した正面図。
【図１５】演出装置による発光演出の様子を示した正面図。
【図１６】演出装置による発光演出の様子を示した正面図。
【図１７】演出装置による発光演出の様子を示した正面図。
【図１８】演出装置による発光演出の様子を示した正面図。
【発明を実施するための形態】
【００１３】
まず、本発明に係る遊技機の一実施形態である遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３及び図４を用いてさらに詳細に説明する。
【００２１】
遊技盤６は、図３及び図４に示すように、遊技板１０と、ガイドレール１１と、センター役物１２と、図柄表示装置１３と、可変入賞装置１４と、大入賞装置１５と、アウト口１６と、サイド役物２９と、ポンプ役物３０と、演出装置１００等により構成される。
【００２２】
遊技板１０は、四隅が適宜に切り欠かれた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
遊技板１０には、センター挿通孔２１、始動入賞挿通孔２２、大入賞挿通孔２３、アウト口孔２４等の複数の孔が、遊技板１０を前後方向に貫通して形成される。センター挿通孔２１は、遊技板１０の中央から上部に渡って配置される。また、始動入賞挿通孔２２は、遊技板１０の中央下部であってセンター挿通孔２１の下方に配置される。また、大入賞挿通孔２３は、遊技板１０の右部であってセンター挿通孔２１の下方に配置される。また、アウト口孔２４は、遊技板１０の中央下部であって始動入賞挿通孔２２の下方に配置される。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０のセンター挿通孔２１に前方から挿入され、ボルト等によって取り付けられる。センター役物１２の中央上部には、可動ロゴ役物１２ａが配設される。可動ロゴ役物１２ａは、後述する液晶画面２６に表示される図柄遊技の演出に応じて下降して当該液晶画面２６に正面視で重複し、遊技者の興趣を高めることができる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。可変入賞装置１４は、遊技板１０の始動入賞挿通孔２２に前方から挿入され、ボルト等によって取り付けられる。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の下方に配置される。大入賞装置１５は、遊技板１０の大入賞挿通孔２３に前方から挿入され、ボルト等によって取り付けられる。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。アウト口１６は、遊技板１０のアウト口孔２４を用いて形成される。なお、アウト口１６に流入した遊技球は、遊技機１が設置されたパチンコホール等の遊技場側に回収される。
【００２９】
サイド役物２９は、その外観により遊技板１０を装飾する部材である。サイド役物２９は、正面視で左上方から右下方へと斜めに延びる細長い形状に形成される。サイド役物２９は、センター役物１２の左下方に配置され、ボルト等によって前方から遊技板１０に取り付けられる。
【００３０】
ポンプ役物３０は、その外観により遊技板１０を装飾する部材である。ポンプ役物３０は流体を吸引・圧送するポンプの形状を模した部材であり、遊技板１０の後方に配置される。より詳細には、ポンプ役物３０は、遊技板１０よりも後方であって液晶画面２６よりも前方、かつ液晶画面２６の右側方に配置される。ポンプ役物３０の大部分は前後方向において遊技板１０と重複することになるが、当該遊技板１０は透過性を有するため、当該遊技板１０を介して正面から視認可能である。
【００３１】
次に、演出装置１００の構成について詳細に説明する。
【００３２】
図３、図５及び図６までに示す演出装置１００は、構成部材を発光させることにより、遊技者に視覚的な印象（インパクト）を与え、その遊技者の興趣を高めるものである。演出装置１００は、主として第一発光体１１０と、第二発光体１２０と、第三発光体１３０と、第四発光体１４０と、第五発光体１５０と、により構成される。
【００３３】
図３、及び図５から図７までに示す第一発光体１１０は、発光することにより、遊技者に視覚的な印象（インパクト）を与え、その遊技者の興趣を高めるものである。第一発光体１１０は、主として発光部１１１と、発光ダイオード（以下、単に「ＬＥＤ」と記す）１１２と、ＬＥＤ１１３と、により構成される。
【００３４】
発光部１１１は、光透過性を有する材料により形成されるチューブ状の部材である。発光部１１１は、その長手方向を概ね上下方向に向けた状態で配置される。発光部１１１の内部には、図示せぬ光拡散媒体が封入される。
発光部１１１の一端（上端）は、遊技板１０の背後であってセンター役物１２の上部の背後に配置される。このように、発光部１１１の一端（上端）はセンター役物１２の背後に隠れるため、正面から視認不能となる。
発光部１１１の他端（下端）は、遊技板１０の背後であってセンター役物１２の左部の背後に配置される。このように、発光部１１１の他端（下端）はセンター役物１２の背後に隠れるため、正面から視認不能となる。
発光部１１１の上下中途部は、遊技板１０の背後であって当該遊技板１０のセンター挿通孔２１と正面視において重複するように配置される。したがって、発光部１１１の上下中途部はセンター挿通孔２１を介して正面から視認される。
【００３５】
発光源としてのＬＥＤ１１２は、発光部１１１の一端（上端）を閉塞するように、概ね下方に向けて配置される。
発光源としてのＬＥＤ１１３は、発光部１１１の他端（下端）を閉塞するように、概ね上方に向けて配置される。
ＬＥＤ１１２及びＬＥＤ１１３は図示せぬ制御装置に接続され、当該制御装置からの制御信号に基づいて、適宜のタイミングで発光することができる。なお、本実施形態では、ＬＥＤ１１２及びＬＥＤ１１３は、その発光色を赤色から青色、及び青色から赤色に徐々に変化させることができる。
【００３６】
上述の如く構成された第一発光体１１０において、ＬＥＤ１１２及びＬＥＤ１１３を適宜発光させると、当該ＬＥＤ１１２及びＬＥＤ１１３からの光が発光部１１１内で拡散され、当該発光部１１１を発光させることができる。遊技者は、遊技板１０のセンター挿通孔２１を介して当該発光部１１１の発光演出を視認することができる。このように、第一発光体１１０においては、遊技板１０を介することなく直接的に発光部１１１の発光演出を視認することとなる。また、第一発光体１１０においては、図３に示すように、図柄表示装置１３の液晶画面２６の近傍に配置されることとなる。したがって、液晶画面２６に表示される図柄遊技に応じて発光部１１１を発光させることによって、遊技者は前記図柄遊技に関連させた発光演出を視認することができる。また、第一発光体１１０（より詳細には、発光部１１１の上端）においては、図３に示すように、センター役物１２の可動ロゴ役物１２ａの近傍に配置されることとなる。したがって、可動ロゴ役物１２ａの下降に応じて発光部１１１を発光させることによって、遊技者は可動ロゴ役物１２ａの動きに関連させた発光演出を視認することができる。
【００３７】
図３、図５及び図６に示す第二発光体１２０は、発光することにより、遊技者に視覚的な印象（インパクト）を与え、その遊技者の興趣を高めるものである。第二発光体１２０は、主として発光部１２１と、ＬＥＤ１２２と、ＬＥＤ１２３と、により構成される。
【００３８】
発光部１２１は、光透過性を有する材料により形成されるチューブ状の部材である。発光部１２１は、その長手方向を概ね上下方向に向けた状態で配置される。発光部１２１の内部には、図示せぬ光拡散媒体が封入される。
発光部１２１の一端（上端）は、遊技板１０の背後であってセンター役物１２の左部の背後に配置される。このように、発光部１２１の一端（上端）はセンター役物１２の背後に隠れるため、正面から視認不能となる。
発光部１２１の他端（下端）は、遊技板１０の背後であってサイド役物２９の背後に配置される。このように、発光部１２１の他端（下端）はサイド役物２９の背後に隠れるため、正面から視認不能となる。
発光部１２１の上下中途部は、遊技板１０の背後に配置される。したがって、発光部１２１の上下中途部は透過性を有する遊技板１０を介して正面から視認される。
【００３９】
発光源としてのＬＥＤ１２２は、発光部１２１の一端（上端）を閉塞するように、概ね下方に向けて配置される。
発光源としてのＬＥＤ１２３は、発光部１２１の他端（下端）を閉塞するように、概ね上方に向けて配置される。
ＬＥＤ１２２及びＬＥＤ１２３は図示せぬ制御装置に接続され、当該制御装置からの制御信号に基づいて、適宜のタイミングで発光することができる。なお、本実施形態では、ＬＥＤ１２２及びＬＥＤ１２３は、その発光色を赤色から青色、及び青色から赤色に徐々に変化させることができる。
【００４０】
上述の如く構成された第二発光体１２０において、ＬＥＤ１２２及びＬＥＤ１２３を適宜発光させると、当該ＬＥＤ１２２及びＬＥＤ１２３からの光が発光部１２１内で拡散され、当該発光部１２１を発光させることができる。遊技者は、透過性を有する遊技板１０を介して当該発光部１２１の発光演出を視認することができる。このように、第二発光体１２０においては、第一発光体１１０と異なり、遊技板１０を介して間接的に発光部１２１の発光演出を視認するができる。このように、第二発光体１２０においては、第一発光体１１０と異なり、遊技者は、遊技板１０を介して間接的に発光部１２１の発光演出を視認することとなる。また、遊技者は、遊技領域２５を転動する遊技球の動きとともに発光部１２１の発光演出を視認することとなる。つまり、第二発光体１２０においては、第一発光体１１０と異なった印象（インパクト）を遊技者に与えることができる。
【００４１】
図３、図５及び図６に示す第三発光体１３０は、発光することにより、遊技者に視覚的な印象（インパクト）を与え、その遊技者の興趣を高めるものである。第三発光体１３０は、主として発光部１３１と、ＬＥＤ１３２と、ＬＥＤ１３３と、により構成される。
【００４２】
発光部１３１は、光透過性を有する材料により形成されるチューブ状の部材である。発光部１３１は、その長手方向を概ね左右方向に向けた状態で配置される。発光部１３１の内部には、図示せぬ光拡散媒体が封入される。
発光部１３１の一端（左端）は、遊技板１０の背後であってサイド役物２９の背後に配置される。このように、発光部１３１の一端（左端）はサイド役物２９の背後に隠れるため、正面から視認不能となる。
発光部１３１の他端（右端）は、遊技板１０の背後であって可変入賞装置１４の背後に配置される。このように、発光部１３１の他端（右端）は可変入賞装置１４の背後に隠れるため、正面から視認不能となる。
発光部１３１の左右中途部は、遊技板１０の背後に配置される。したがって、発光部１３１の左右中途部は透過性を有する遊技板１０を介して正面から視認される。
【００４３】
発光源としてのＬＥＤ１３２は、発光部１３１の一端（左端）を閉塞するように、概ね右方に向けて配置される。
発光源としてのＬＥＤ１３３は、発光部１３１の他端（右端）を閉塞するように、概ね左方に向けて配置される。
ＬＥＤ１３２及びＬＥＤ１３３は図示せぬ制御装置に接続され、当該制御装置からの制御信号に基づいて、適宜のタイミングで発光することができる。なお、本実施形態では、ＬＥＤ１３２及びＬＥＤ１３３は、その発光色を赤色から青色、及び青色から赤色に徐々に変化させることができる。
【００４４】
上述の如く構成された第三発光体１３０において、ＬＥＤ１３２及びＬＥＤ１３３を適宜発光させると、当該ＬＥＤ１３２及びＬＥＤ１３３からの光が発光部１３１内で拡散され、当該発光部１３１を発光させることができる。遊技者は、透過性を有する遊技板１０を介して当該発光部１３１の発光演出を視認することができる。このように、第三発光体１３０においては、第一発光体１１０と異なり、遊技者は、遊技板１０を介して間接的に発光部１３１の発光演出を視認することとなる。また、遊技者は、遊技領域２５を転動する遊技球の動きとともに発光部１３１の発光演出を視認することとなる。つまり、第三発光体１３０においては、第一発光体１１０と異なった印象（インパクト）を遊技者に与えることができる。
【００４５】
図３、図５及び図６に示す第四発光体１４０は、発光することにより、遊技者に視覚的な印象（インパクト）を与え、その遊技者の興趣を高めるものである。第四発光体１４０は、主として発光部１４１と、ＬＥＤ１４２と、ＬＥＤ１４３と、により構成される。
【００４６】
発光部１４１は、光透過性を有する材料により形成されるチューブ状の部材である。発光部１４１は、その長手方向を概ね左右方向に向けた状態で配置される。発光部１４１の内部には、図示せぬ光拡散媒体が封入される。
発光部１４１の一端（左端）は、遊技板１０の背後であって可変入賞装置１４の背後に配置される。このように、発光部１４１の一端（左端）は可変入賞装置１４の背後に隠れるため、正面から視認不能となる。
発光部１４１の他端（右端）は、遊技板１０の背後であって大入賞装置１５の背後に配置される。このように、発光部１４１の他端（右端）は大入賞装置１５の背後に隠れるため、正面から視認不能となる。
発光部１４１の左右中途部は、遊技板１０の背後に配置される。したがって、発光部１４１の左右中途部は透過性を有する遊技板１０を介して正面から視認される。
【００４７】
発光源としてのＬＥＤ１４２は、発光部１４１の一端（左端）を閉塞するように、概ね右方に向けて配置される。
発光源としてのＬＥＤ１４３は、発光部１４１の他端（右端）を閉塞するように、概ね左方に向けて配置される。
ＬＥＤ１４２及びＬＥＤ１４３は図示せぬ制御装置に接続され、当該制御装置からの制御信号に基づいて、適宜のタイミングで発光することができる。なお、本実施形態では、ＬＥＤ１４２及びＬＥＤ１４３は、その発光色を赤色から青色、及び青色から赤色に徐々に変化させることができる。
【００４８】
上述の如く構成された第四発光体１４０において、ＬＥＤ１４２及びＬＥＤ１４３を適宜発光させると、当該ＬＥＤ１４２及びＬＥＤ１４３からの光が発光部１４１内で拡散され、当該発光部１４１を発光させることができる。遊技者は、透過性を有する遊技板１０を介して当該発光部１４１の発光演出を視認することができる。このように、第四発光体１４０においては、第一発光体１１０と異なり、遊技者は、遊技板１０を介して間接的に発光部１４１の発光演出を視認することとなる。また、遊技者は、遊技領域２５を転動する遊技球の動きとともに発光部１４１の発光演出を視認することとなる。つまり、第四発光体１４０においては、第一発光体１１０と異なった印象（インパクト）を遊技者に与えることができる。
【００４９】
図３、図５及び図６に示す第五発光体１５０は、発光することにより、遊技者に視覚的な印象（インパクト）を与え、その遊技者の興趣を高めるものである。第五発光体１５０は、主として発光部１５１と、ＬＥＤ１５２と、ＬＥＤ１５３と、により構成される。
【００５０】
発光部１５１は、光透過性を有する材料により形成されるチューブ状の部材である。発光部１５１は、その長手方向を概ね上下方向に向けた状態で配置される。発光部１５１の内部には、図示せぬ光拡散媒体が封入される。
発光部１５１の一端（下端）は、遊技板１０の背後であって大入賞装置１５の背後に配置される。このように、発光部１５１の一端（下端）は大入賞装置１５の背後に隠れるため、正面から視認不能となる。
発光部１５１の他端（上端）は、遊技板１０の背後であってポンプ役物３０の背後に配置される。このように、発光部１５１の他端（上端）はポンプ役物３０の背後に隠れるため、正面から視認不能となる。
発光部１５１の上下中途部は、遊技板１０の背後に配置される。したがって、発光部１５１の上下中途部は透過性を有する遊技板１０を介して正面から視認される。
【００５１】
発光源としてのＬＥＤ１５２は、発光部１５１の一端（下端）を閉塞するように、概ね上方に向けて配置される。
発光源としてのＬＥＤ１５３は、発光部１５１の他端（上端）を閉塞するように、概ね下方に向けて配置される。
ＬＥＤ１５２及びＬＥＤ１５３は図示せぬ制御装置に接続され、当該制御装置からの制御信号に基づいて、適宜のタイミングで発光することができる。なお、本実施形態では、ＬＥＤ１５２及びＬＥＤ１５３は、その発光色を赤色から青色、及び青色から赤色に徐々に変化させることができる。
【００５２】
上述の如く構成された第五発光体１５０において、ＬＥＤ１５２及びＬＥＤ１５３を適宜発光させると、当該ＬＥＤ１５２及びＬＥＤ１５３からの光が発光部１５１内で拡散され、当該発光部１５１を発光させることができる。遊技者は、透過性を有する遊技板１０を介して当該発光部１５１の発光演出を視認することができる。このように、第五発光体１５０においては、第一発光体１１０と異なり、遊技者は、遊技板１０を介して間接的に発光部１５１の発光演出を視認することとなる。また、遊技者は、遊技領域２５を転動する遊技球の動きとともに発光部１５１の発光演出を視認することとなる。つまり、第五発光体１５０においては、第一発光体１１０と異なった印象（インパクト）を遊技者に与えることができる。
【００５３】
上述の如く第一発光体１１０、第二発光体１２０、第三発光体１３０、第四発光体１４０及び第五発光体１５０を配置することによって、正面視（図３参照）において発光部１１１、発光部１２１、発光部１３１、発光部１４１及び発光部１５１が連続した１本のチューブを模した形状となる。また、発光部１５１の他端（上端）がポンプ役物３０と重複するように配置されているため、前記１本のチューブ（発光部１１１等）がポンプ（ポンプ役物３０）に接続されている様子を模すことができる。
【００５４】
以下では、図６、及び図８から図１８までを用いて、上述の如く構成された演出装置１００の制御の一例について説明する。
【００５５】
演出装置１００においては、各ＬＥＤの発光のタイミング及び発光色を前記制御装置により予め設定された光プログラムに沿って制御することで、発光部１１１、発光部１２１等により模された１本のチューブ内を流体が流れる様子を演出することができる。
以下では、演出装置１００が、青色のチューブ内を赤色の流体が流れる様子を演出するものとして説明する。したがって、チューブ内を流体が流れていない状態では、全てのＬＥＤが青色に発光されている。
【００５６】
まず、図８に示すように、前記制御装置は、第一発光体１１０のＬＥＤ１１２（図６参照）を青色から赤色に徐々に変化させる。これによって、発光部１１１の上部が青色から赤色に徐々に変化し、当該発光部１１１の上部から赤色の流体が徐々に流れ出てくる様子を模すことができる。
ここで、図８における発光部１１１内の網掛け部分が、赤色に発光している部分である。以下、図９から図１８までについても同様に、図中の網掛け部分が、赤色に発光している部分である。
【００５７】
次に、図９に示すように、前記制御装置は、第一発光体１１０のＬＥＤ１１３（図６参照）を青色から赤色に徐々に変化させる。これによって、発光部１１１の全体が赤色に発光し、当該発光部１１１内に赤色の流体が満たされている様子を模すことができる。
【００５８】
次に、図１０に示すように、前記制御装置は、第一発光体１１０のＬＥＤ１１２を赤色から青色に徐々に変化させる。これによって、発光部１１１の下部が赤色に発光したまま発光部１１１の上部が青色に徐々に変化する。また、前記制御装置は、第二発光体１２０のＬＥＤ１２２（図６参照）を青色から赤色に徐々に変化させる。これによって、発光部１２１の下部が青色に発光したまま発光部１２１の上部が赤色に徐々に変化する。
これによって、発光部１１１から発光部１２１へと赤色の流体が徐々に流れている様子を模すことができる。
【００５９】
次に、図１１に示すように、前記制御装置は、第一発光体１１０のＬＥＤ１１３を青色に発光させる。これによって、発光部１１１の全体が青色に発光し、当該発光部１１１内に流体が流れていない様子を模すことができる。また、前記制御装置は、第二発光体１２０のＬＥＤ１２３（図６参照）を青色から赤色に徐々に変化させる。これによって、発光部１２１の全体が赤色に発光し、当該発光部１２１内に赤色の流体が満たされている様子を模すことができる。
【００６０】
次に、図１２に示すように、前記制御装置は、第二発光体１２０のＬＥＤ１２２を赤色から青色に徐々に変化させる。これによって、発光部１２１の下部が赤色に発光したまま発光部１２１の上部が青色に徐々に変化する。また、前記制御装置は、第三発光体１３０のＬＥＤ１３２（図６参照）を青色から赤色に徐々に変化させる。これによって、発光部１３１の右部が青色に発光したまま発光部１３１の左部が赤色に徐々に変化する。
これによって、発光部１２１から発光部１３１へと赤色の流体が徐々に流れている様子を模すことができる。
【００６１】
次に、図１３に示すように、前記制御装置は、第二発光体１２０のＬＥＤ１２３を青色に発光させる。これによって、発光部１２１の全体が青色に発光し、当該発光部１２１内に流体が流れていない様子を模すことができる。また、前記制御装置は、第三発光体１３０のＬＥＤ１３３（図６参照）を青色から赤色に徐々に変化させる。これによって、発光部１３１の全体が赤色に発光し、当該発光部１３１内に赤色の流体が満たされている様子を模すことができる。
【００６２】
次に、図１４に示すように、前記制御装置は、第三発光体１３０のＬＥＤ１３２を赤色から青色に徐々に変化させる。これによって、発光部１３１の右部が赤色に発光したまま発光部１３１の左部が青色に徐々に変化する。また、前記制御装置は、第四発光体１４０のＬＥＤ１４２（図６参照）を青色から赤色に徐々に変化させる。これによって、発光部１４１の右部が青色に発光したまま発光部１４１の左部が赤色に徐々に変化する。
これによって、発光部１３１から発光部１４１へと赤色の流体が徐々に流れている様子を模すことができる。
【００６３】
次に、図１５に示すように、前記制御装置は、第三発光体１３０のＬＥＤ１３３を青色に発光させる。これによって、発光部１３１の全体が青色に発光し、当該発光部１３１内に流体が流れていない様子を模すことができる。また、前記制御装置は、第四発光体１４０のＬＥＤ１４３（図６参照）を青色から赤色に徐々に変化させる。これによって、発光部１４１の全体が赤色に発光し、当該発光部１４１内に赤色の流体が満たされている様子を模すことができる。
【００６４】
次に、図１６に示すように、前記制御装置は、第四発光体１４０のＬＥＤ１４２を赤色から青色に徐々に変化させる。これによって、発光部１４１の右部が赤色に発光したまま発光部１４１の左部が青色に徐々に変化する。また、前記制御装置は、第五発光体１５０のＬＥＤ１５２（図６参照）を青色から赤色に徐々に変化させる。これによって、発光部１５１の上部が青色に発光したまま発光部１５１の下部が赤色に徐々に変化する。
これによって、発光部１４１から発光部１５１へと赤色の流体が徐々に流れている様子を模すことができる。
【００６５】
次に、図１７に示すように、前記制御装置は、第四発光体１４０のＬＥＤ１４３を青色に発光させる。これによって、発光部１４１の全体が青色に発光し、当該発光部１４１内に流体が流れていない様子を模すことができる。また、前記制御装置は、第五発光体１５０のＬＥＤ１５３（図６参照）を青色から赤色に徐々に変化させる。これによって、発光部１５１の全体が赤色に発光し、当該発光部１５１内に赤色の流体が満たされている様子を模すことができる。
【００６６】
次に、図１８に示すように、前記制御装置は、第五発光体１５０のＬＥＤ１５２を赤色から青色に徐々に変化させる。これによって、発光部１５１の上部が赤色に発光したまま発光部１５１の下部が青色に徐々に変化し、当該発光部１５１からポンプ役物３０へと赤色の流体が流れている様子を模すことができる。
【００６７】
上述の如く、各ＬＥＤの発光のタイミング及び発光色により１本のチューブ内を流体が流れる様子を演出することができる。さらに、流体の流れに併せてポンプ役物３０を発光させたり伸縮運動させたりすることで、より演出効果を高めることができる。
【００６８】
以上の如く、本実施形態に係る遊技機１は、
光透過性を有し、中央部に前後方向に貫通するセンター挿通孔２１（貫通孔）を有する遊技板１０と、
遊技板１０に搭載されてセンター挿通孔２１を介して図柄遊技を表示する液晶画面２６（表示画面）と、
遊技板１０に搭載されて図柄遊技を演出する演出装置１００と、
を備えた遊技機１において、
演出装置１００は、
チューブ状の発光部の両端にそれぞれ発光源を備えてなる発光体を複数（第一発光体１１０、第二発光体１２０、第三発光体１３０、第四発光体１４０及び第五発光体１５０）備え、
一の発光体（第二発光体１２０、第三発光体１３０、第四発光体１４０及び第五発光体１５０）は遊技板１０の裏側に配設されて当該遊技板１０を介して発光演出を遊技者に提供し、
他の発光体（第一発光体１１０）は遊技板１０のセンター挿通孔２１と前後方向において重複する位置に配設されて当該遊技板１０を介することなく発光演出を遊技者に提供することを特徴とするものである。
【００６９】
このように構成することにより、演出装置１００を備えた遊技機１は、従来の演出装置では実現し得なかった発光演出を行うことによって、遊技者に新鮮な印象を与えることができる。
【００７０】
また、本実施形態の各ＬＥＤは、
センター役物１２、サイド役物２９、可変入賞装置１４、大入賞装置１５及びポンプ役物３０という一般的な遊技機に備えられている遊技部品の背後に配置されている。
このように構成することにより、一般的な遊技機に備えられている遊技部品を用いて各ＬＥＤが正面から遊技者に視認されることを防止し、演出装置１００の美観を向上させることができる。
【００７１】
また、本実施形態の演出装置１００は、
各ＬＥＤを配置順に発光させることにより、各発光部内を流体が流れる様子を模すものである。
このように構成することにより、遊技者に新鮮な印象を与えることができる。
【００７２】
なお、上述の例では第一発光体１１０から順に第五発光体１５０まで流体が流れるように各ＬＥＤを発光させたが、逆方向に流体が流れるように各ＬＥＤを発光させる構成とすることも可能である。
また、各ＬＥＤは、その発光色を赤色から青色、及び青色から赤色に徐々に変化させたが、発光色を限定するものではない。また、発光色は、２色に限定するものではない。
また、ポンプ役物３０を設けることなく、発光部１５１の他端（上端）を遊技盤６の右側部まで延設することによって、流体が遊技盤６の外部へと流出する様子を模すことも可能である。
また、本実施形態においては、発光源としてＬＥＤを用いるものとしたが、本発明はこれに限るものではなく、発光部を適切に発光させることができるものであれば良い。
また、各発光部（発光部１１１等）により模した１本のチューブの配置、長さ、太さ等は、本実施形態に限るものではない。
また、本実施形態においては、第一発光体１１０のみ遊技板１０のセンター挿通孔２１を介して（すなわち、遊技板１０を介さずに）視認可能としたが、その他の発光体もセンター挿通孔２１を介して視認可能としても良い。すなわち、センター挿通孔２１を介して視認可能な発光体と、遊技板１０を介して視認可能な発光体と、を遊技機１に設けることにより、各発光体による発光演出の効果に差を設ける構成であれば良い。
【符号の説明】
【００７３】
１：遊技機，１０：遊技板，１２：センター役物，１４：可変入賞装置，１５：大入賞装置，２１：センター挿通孔，２９：サイド役物，３０：ポンプ役物，１００：演出装置，１１０：第一発光体，１１１：発光部，１１２：ＬＥＤ，１１３：ＬＥＤ，１２０：第二発光体，１２１：発光部，１２２：ＬＥＤ，１２３：ＬＥＤ，１３０：第三発光体，１３１：発光部，１３２：ＬＥＤ，１３３：ＬＥＤ，１４０：第四発光体，１４１：発光部，１４２：ＬＥＤ，１４３：ＬＥＤ，１５０：第五発光体，１５１：発光部，１５２：ＬＥＤ，１５３：ＬＥＤ
【図１】
0005477332.tif 000002
【図２】
0005477332.tif 000003
【図３】
0005477332.tif 000004
【図４】
0005477332.tif 000005
【図５】
0005477332.tif 000006
【図６】
0005477332.tif 000007
【図７】
0005477332.tif 000008
【図８】
0005477332.tif 000009
【図９】
0005477332.tif 000010
【図１０】
0005477332.tif 000011
【図１１】
0005477332.tif 000012
【図１２】
0005477332.tif 000013
【図１３】
0005477332.tif 000014
【図１４】
0005477332.tif 000015
【図１５】
0005477332.tif 000016
【図１６】
0005477332.tif 000017
【図１７】
0005477332.tif 000018
【図１８】
0005477332.tif 000019